(57)【要約】【課題】潤滑不足による異音の発生が抑制された車両用手動変速機の同期噛合装置を提供する。【解決手段】ギヤピース２６は、円筒状凸部５０の内周面に軸心Ｃ方向に複数本形成された環状溝６０と、円筒状凸部５０の先端側の環状溝６０の底面から円筒状凸部５０のテーパ状外周面４８の小径側に向けて貫通して設けられた貫通孔６２とを備え、その貫通孔６２の停止位置に拘わらず、ギヤピース２６の回転時には複数本の環状溝６０内のいずれか内に貯溜された潤滑油が貫通孔６０を通じてテーパ状外周面４８の小径側へ供給されるように構成されていることから、貫通孔６２が下方に位置する状態でギヤピース２６の回転が停止することによってその貫通孔６２が設けられた環状溝６０の潤滑油が流出しても、ギヤピース２６の回転時には他方の環状溝６０から潤滑油が供給されるので、潤滑不足による異音の発生が抑制される。【選択図】図２
2010249167.tif 000002
【特許請求の範囲】
【請求項１】
回転軸に固設されたハブに相対回転不能且つ軸心方向の相対移動可能に設けられたスリーブと、該スリーブの内周歯と噛合可能な第１外周歯と該第１外周歯の内周側から前記ハブに向けて突設されて該ハブに向かうほど外径が小さくなるテーパ状外周面が形成された円筒状凸部とを有して前記回転軸に相対回転可能に支持されたギヤピースと、前記スリーブの内周歯と係合して該スリーブの前記第１外周歯側への移動を阻止するための第２外周歯と前記テーパ状外周面に面接触可能なテーパ状内周面とを有して前記ギヤピースと前記ハブとの間に設けられたシンクロナイザリングとを備え、前記スリーブに軸心方向の前記第１外周歯側への操作力が加えられる場合には、該スリーブの回転と前記ギヤピースの回転とが同期したときに前記シンクロナイザリングにより該スリーブの軸心方向の移動が許容されて前記スリーブの内周歯と前記ギヤピースの第１外周歯との噛み合いが行われるようにする車両用手動変速機の同期噛合装置であって、
前記ギヤピースは、前記円筒状凸部の内周面に軸心方向に複数本形成された環状溝と、該環状溝の底面から前記テーパ状外周面の小径側に向けて貫通して設けられた少なくとも１つの貫通孔とを備え、該貫通孔の停止位置に拘わらず、回転時には前記複数本の環状溝内のいずれか内に貯溜された潤滑油が該貫通孔を通じて前記テーパ状外周面の小径側へ供給されるように構成されていることを特徴とする車両用手動変速機の同期噛合装置。
【発明の詳細な説明】
【技術分野】
【０００１】
本発明は、車両用手動変速機の同期噛合装置に係り、特に、潤滑不足による異音の発生を抑制する技術に関するものである。
【背景技術】
【０００２】
回転軸に固設されたハブに相対回転不能且つ軸心方向の相対移動可能に設けられたスリーブと、そのスリーブの内周歯と噛合可能な第１外周歯とその第１外周歯の内周側から前記ハブに向けて突設されてそのハブに向かうほど外径が小さくなるテーパ状外周面が形成された円筒状凸部とを有して前記回転軸に相対回転可能に支持されたギヤピースと、前記スリーブの内周歯と係合してそのスリーブの前記第１外周歯側への移動を阻止するための第２外周歯と前記テーパ状外周面に面接触可能なテーパ状内周面とを有して前記ギヤピースと前記ハブとの間に設けられたシンクロナイザリングとを備え、前記スリーブに軸心方向の前記第１外周歯側への操作力が加えられたときには、そのスリーブの回転と前記ギヤピースの回転とが同期したときに前記シンクロナイザリングによりそのスリーブの軸心方向の移動が許容されて前記スリーブの内周歯と前記ギヤピースの第１外周歯との噛み合いが行われるようにする車両用手動変速機の同期噛合装置が知られている。
【０００３】
ところで、従来の車両用手動変速機の同期噛合装置では、車両用手動変速機の回転開始直後には、前記シンクロナイザリングのテーパ状内周面に形成された複数の油保持溝内に保持された潤滑油が上記テーパ状内周面と前記テーパ状外周面との間に供給されることによって、それらテーパ状内周面とテーパ状外周面とが摺接することによる異音の発生が抑制されるようになっている。しかしながら、エンジン始動直後の冷間時（コールドスタート時）には、車両用手動変速機内の潤滑油が高粘度状態であるため、前記テーパ状内周面とテーパ状外周面との間に例えば車両用手動変速機内の潤滑油が回転要素に掻き上げられる等により前記円筒状凸部の内周側の空間を通じて新たに供給されるまでにはある程度の時間を要する。そのため、上記円筒状凸部の内周側の空間から潤滑油が供給される前に前記油保持溝に保持された潤滑油が遠心力により外方へ飛ばされて無くなることによって、潤滑不足が発生して異音が発生するという問題があった。
【先行技術文献】
【特許文献】
【０００４】
【特許文献１】特開平１１−２４７９７４号公報
【発明の概要】
【発明が解決しようとする課題】
【０００５】
特許文献１に記載された車両用手動変速機の同期噛合装置は、前記ギヤピースの円筒状凸部の先端縁部から内周側に向けて周方向に連なって突出する突出部と、その円筒状凸部を肉厚方向に貫通して突出部の前記ハブとは反対側の円筒状凸部の内周面と前記テーパ状外周面との間を繋ぐ潤滑油案内孔とを備えて構成されている。そして、上記円筒状凸部の内周側の空間に供給された潤滑油が上記突出部および潤滑油案内孔に案内されてテーパ状外周面と前記テーパ状内周面との間に供給されるようになっている。
【０００６】
特許文献１の車両用手動変速機の同期噛合装置によれば、前記シンクロナイザリングの油保持溝内に保持された潤滑油に加え、前記特許文献１に記載された前記円筒状凸部の内周面と前記突出部とで形成される凹部に溜められた潤滑油が車両用手動変速機の回転開始直後のテーパ状外周面に供給されることによって、潤滑不足が解消されて異音の発生が抑制されるということが考えられる。しかしながら、前記潤滑油案内孔が下方に位置する状態でギヤピースの回転が停止することにより上記凹部には潤滑油が溜まらず、したがって、潤滑不足が生じて異音が発生するという問題があった。
【０００７】
本発明は以上の事情を背景としてなされたものであり、その目的とするところは、潤滑不足による異音の発生が抑制された車両用手動変速機の同期噛合装置を提供することにある。
【課題を解決するための手段】
【０００８】
かかる目的を達成するための請求項１にかかる発明の要旨とするところは、（１）回転軸に固設されたハブと、そのハブの第１外周歯に噛み合う内周歯を有してそのハブに相対回転不能且つ軸心方向の移動可能に装着されたスリーブと、そのスリーブの内周歯と噛合可能な第２外周歯とその第２外周歯の内周側から前記ハブに向けて突設されてそのハブに向かうほど外径が小さくなるテーパ状外周面が形成された円筒状凸部とを有して前記回転軸に相対回転可能に支持されたギヤピースと、前記スリーブの内周歯と係合してそのスリーブの前記第２外周歯側への移動を阻止するための第３外周歯と前記テーパ状外周面に面接触可能なテーパ状内周面とを有して前記ギヤピースと前記ハブとの間に設けられた円筒状のシンクロナイザリングとを備え、前記スリーブに軸心方向の操作力が加えられる場合には、そのスリーブの回転と前記ギヤピースの回転とが同期したときに前記シンクロナイザリングによりそのスリーブの軸心方向の移動が許容されて前記スリーブの内周歯と前記ギヤピースの第２外周歯との噛み合いが行われるようにする車両用手動変速機の同期噛合装置であって、（２）前記ギヤピースは、前記円筒状凸部の内周面に軸心方向に複数本形成された環状溝と、その環状溝の底面から前記テーパ状外周面の小径側に向けて貫通して設けられた少なくとも１つの貫通孔とを備え、その貫通孔の停止位置に拘わらず、回転時には前記複数本の環状溝内のいずれか内に貯溜された潤滑油が上記貫通孔を通じて前記テーパ状外周面の小径側へ供給されるように構成されていることにある。
【発明の効果】
【０００９】
請求項１にかかる発明の車両用変速機のシフト操作装置によれば、ギヤピースは、そのギヤピースの円筒状凸部の内周面に軸心方向に複数本形成された環状溝と、その環状溝の底面から円筒状凸部のテーパ状外周面の小径側に向けて貫通して設けられた少なくとも１つの貫通孔とを備え、その貫通孔の停止位置に拘わらず、回転時には前記複数本の環状溝内のいずれか内に貯溜された潤滑油が上記貫通孔を通じて前記テーパ状外周面の小径側へ供給されるように構成されていることから、貫通孔が下方に位置する状態でギヤピースの回転が停止することによってその貫通孔が設けられた環状溝から潤滑油が貫通孔を通じて流出しても、ギヤピースの回転時には前記複数本の環状溝のうち上記貫通孔が設けられた環状溝以外の環状溝内に貯溜された潤滑油が上記貫通孔が設けられた環状溝および貫通孔を通じてテーパ状外周面の小径側へ供給されるので、潤滑不足による異音の発生が抑制される。
【００１０】
ここで、好適には、前記環状溝は、二周以上の螺旋状溝の一部により構成されている。このようにすれば、前記貫通孔が螺旋状溝のうち例えば円筒状凸部の先端側から一周目に設けられ、その貫通孔が下方に位置する状態でギヤピースの回転が停止することによって一周目の螺旋状溝から潤滑油が貫通孔を通じて流出しても、ギヤピースの回転時には二周目以降の螺旋状溝内に貯溜された潤滑油が上記一周目の螺旋状溝および貫通孔を通じてテーパ状外周面の小径側へ供給されるので、潤滑不足による異音の発生が抑制される。
【００１１】
また、好適には、前記環状溝は、軸心方向において所定の間隔を隔てて複数本形成された平行溝により構成されており、前記貫通孔とは異なる周方向位置に各環状溝同士を連結する連結溝が設けられている。このようにすれば、貫通孔が下方に位置する状態でギヤピースの回転が停止することによってその貫通孔が設けられた環状溝から潤滑油が貫通孔を通じて流出しても、ギヤピースの回転時には前記複数本の環状溝のうち上記貫通孔が設けられた環状溝以外の環状溝内に貯溜された潤滑油が連通孔、上記貫通孔が設けられた環状溝、および貫通孔を通じてテーパ状外周面の小径側へ供給されるので、潤滑不足による異音の発生が抑制される。
【００１２】
また、好適には、前記環状溝は、軸心方向において所定の間隔を隔てて複数本形成された平行溝により構成されており、前記貫通孔は、各環状溝毎に少なくとも１つずつ互いに異なる周方向位置に形成されている。このようにすれば、複数の貫通孔のうちいずれか１が下方に位置する状態でギヤピースの回転が停止することによってその貫通孔が設けられた環状溝から潤滑油が貫通孔を通じて流出しても、ギヤピースの回転時には前記複数本の環状溝のうち上記貫通孔が設けられた環状溝以外の環状溝内に貯溜された潤滑油が貫通孔を通じてテーパ状外周面の小径側へ供給されるので、潤滑不足による異音の発生が抑制される。
【００１３】
また、好適には、前記シンクロナイザリングは、前記テーパ状内周面に油を保持するための油保持溝を備えている。このようにすれば、その油保持溝内に保持された潤滑油が上記テーパ状内周面と前記テーパ状外周面との間に供給されるので、テーパ状内周面とテーパ状外周面とが摺接することによる異音の発生が抑制される。
【００１４】
また、好適には、前記回転軸は、前記車両用手動変速機の入力軸とは別にそれと平行に設けられる動力伝達軸であり、前記ギヤピースは、上記入力軸に相対回転不能に固定される固定ギヤに噛み合わされると共に上記動力伝達軸に相対回転可能に設けられる相対回転ギヤ（遊転ギヤ）に固設されるものである。上記固定ギヤおよび相対回転ギヤから成るギヤ対は、前記車両用手動変速機に設けられるギヤ比が異なり且つ常時噛み合う複数対のギヤ対に含まれるものであり、上記相対回転ギヤは、前記車両用手動変速機が動力伝達を遮断するニュートラル状態とされた場合において、上記入力軸が回転するに従って前記動力伝達軸まわりに回転（遊転）するものである。このようにすれば、エンジンの始動による車両用手動変速機の回転開始直後すなわち入力軸の回転開始直後における車両用手動変速機のニュートラル状態において、上記ギヤピースの円筒状凸部の内周面に軸心方向に複数本形成された環状溝内のいずれか内に貯溜された潤滑油が、遠心力によりその環状溝の底面から円筒状凸部のテーパ状外周面に向けて貫設された貫通孔を通じて上記テーパ状外周面の小径側へ供給されるので、上記ギヤピースの円筒状凸部のテーパ状外周面とシンクロナイザリングのテーパ状内周面との間の潤滑不足による異音の発生が抑制される。
【図面の簡単な説明】
【００１５】
【図１】本発明が適用された車両用手動変速機の同期噛合クラッチを示す断面図である。
【図２】シンクロナイザリングおよびギヤピースを含む同期噛合クラッチの下方部位の断面を示す概念図である。
【図３】図２のIII-III矢視部を含むギヤピースの円筒状凸部の断面を示す図である。
【図４】図１に示すギヤピースが停止状態から回転させられたときのテーパ状外周面とテーパ状内周面との間の潤滑油量の増減を時系列的に示す図であって、本実施例の同期噛合クラッチの場合と、従来例として環状溝および貫通孔を備えていない方式の同期噛合クラッチの場合とで比較したものである。
【図５】本発明の他の実施例の同期噛合クラッチの断面を示す概念図である。
【図６】図５のVI-VI矢視部を示す断面図である。
【図７】本発明の他の実施例の同期噛合クラッチの断面を示す概念図である。
【図８】図７のVIII-VIII矢視部を示す断面図である。
【発明を実施するための形態】
【００１６】
以下、本発明の一実施例を図面を参照して詳細に説明する。なお、以下の実施例において図は適宜簡略化或いは変形されており、各部の寸法比および形状等は必ずしも正確に描かれていない。
【実施例１】
【００１７】
図１は、本発明が適用された車両用手動変速機１０の同期噛合クラッチ（同期噛合装置）１２を示す断面図である。図１において、本実施例の車両用手動変速機１０は、平行な２軸間すなわち出力軸（回転軸）１４とそれに平行な図示しない入力軸との間に設けられたギヤ比が異なり且つ常時噛み合う複数対のギヤ対１６と、それら複数対のギヤ対１６に対応して設けられた複数の同期噛合クラッチ１２とを備える所謂よく知られた常時噛合型平行軸式変速機である。上記出力軸１４は、上記入力軸とは別に設けられる動力伝達軸である。車両用手動変速機１０では、複数の同期噛合クラッチ１２の係合状態が切り換えられて複数対のギヤ対１６が択一的に動力伝達状態とされることによりギヤ段が切り換えられるようになっている。なお、図１は、上記複数対のギヤ対１６のうち、上記入力軸に相対回転不能に固定された図示しない固定ギヤと、その固定ギヤに噛み合わされると共に出力軸１４に相対回転可能に設けられた相対回転ギヤ４４とを備える第１速用および第２速用の２対のギヤ対１６と、それに対応して設けられた２つの同期噛合クラッチ１２とを示す部分的な断面図である。
【００１８】
上記２つの同期噛合クラッチ１２は、それぞれ動力伝達を遮断する中立状態を示している。これら同期噛合クラッチ１２は、共通の部材としてハブ１８、スリーブ２０、およびキー２２を備え、また、個別にシンクロナイザリング２４およびギヤピース２６をそれぞれ備えて構成されている。なお、これらは基本的に同じ構成であるため、以下においては図１の左側の同期噛合クラッチ１２に関して具体的に説明する。
【００１９】
前記ハブ１８は、出力軸１４の外周に例えばスプライン嵌合により嵌め着けられることでその出力軸１４に固設された円筒状部材である。そのハブ１８の外周部には、周方向の所定の間隔で軸心Ｃに平行に設けられた複数の外周歯２８と、周方向の所定の間隔で軸心Ｃに平行な方向に貫通して設けられた複数（本実施例では３つ）の溝３０が設けられている。
【００２０】
前記スリーブ２０は、周方向の所定の間隔でハブ１８の外周歯２８に噛み合う内周歯３２を有し、ハブ１８に軸心Ｃまわりの相対回転不能且つ軸心Ｃ方向の相対移動可能に装着された円筒状部材である。そして、スリーブ２０は、図示しないシフトフォークを含むシフト操作装置のシフト操作に応じて、図１に示す動力伝達を遮断する中立位置と、ギヤピース２６と噛み合うことで動力伝達状態とする動力伝達位置との間で軸心Ｃ方向に移動させられるようになっている。
【００２１】
前記キー２２は、軸心Ｃを中心とする半径方向外側に突き出す凸部３４を有し、ハブ１８の溝３０に嵌め入れられることによりハブ１８に周方向の移動不能且つ軸心方向の移動可能に設けられた直方体状部材である。このキー２２は、上記溝３０の底面に軸心Ｃに向けて穿設された止まり穴３６に収容されたスプリング３８により半径方向外側に付勢されており、スリーブ２０の内周部に形成された凹部４０に凸部３４が嵌り込むことでスリーブ２０を軸心Ｃ方向におけるギヤピース２６とギヤピース２６との間に位置決めするようになっている。そして、キー２２は、スリーブ２０に前記シフト操作装置により軸心Ｃ方向の操作力が加わることによって、そのスリーブ２０とともに軸心Ｃ方向に移動するようになっている。
【００２２】
前記ギヤピース２６は、出力軸１４にニードルベアリング４２を介して回転可能に支持された相対回転ギヤ（動力伝達歯車）４４のハブ１８側に例えばスプライン嵌合により嵌め着けられた円筒状部材である。上記相対回転ギヤ４４は、ギヤ対１６を構成する一方のギヤであって、図示しない入力軸に嵌め着けられて固定されたギヤ対１６の他方の固定ギヤに常時噛み合わされている。また、相対回転ギヤ４４は、車両用手動変速機１０が動力伝達を遮断する中立状態（ニュートラル状態）とされた場合において、上記入力軸が回転するに従って出力軸１４まわりに回転（遊転）するものである。上記ギヤピース２６の外周部には、スリーブ２０が前記シフト操作装置のシフト操作により前記動力伝達位置に位置させられた場合にそのスリーブ２０の内周歯３２と噛み合う外周歯（第１外周歯）４６が設けられており、その外周歯４６の内周側すなわちギヤピース２６の内周部には、その内周部から軸心Ｃ方向のハブ１８側に向けて突設され、ハブ１８に向かうほど外径が小さくなるテーパ状外周面４８が形成された円筒状凸部５０が設けられている。ギヤピース２６は、相対回転ギヤ４４と一体的に回転駆動される。
【００２３】
前記シンクロナイザリング２４は、スリーブ２０の内周歯３２と係合可能な外周歯（第２外周歯）５２と、ギヤピース２６のテーパ状外周面４８と面接触可能なテーパ状内周面５４とを有し、ハブ１８とギヤピース２０との間におけるテーパ状外周面４８の外方においてギヤピース２６に対して相対回転可能且つ軸心Ｃ方向の移動可能に配設された円環状部材である。このシンクロナイザリング２４のハブ１８側の端部には、キー２２の軸心Ｃ方向の一端部が嵌め入れられたキー溝５６が設けられており、シンクロナイザリング２４は、キー２２、ハブ１８、およびスリーブ２０に対して周方向に所定角度の相対回転可能に設けられている。具体的には、シンクロナイザリング２４は、シンクロナイザリング２４とギヤピース２６とが非同期状態である場合に外周歯５２が内周歯３２に当接することでスリーブ２０の外周歯４６側への移動を阻止する阻止位置と、シンクロナイザリング２４とギヤピース２６とが同期状態である場合にスリーブ２０の外周歯４６側への移動を許容する許容位置との間で相対回転可能に設けられている。
【００２４】
また、シンクロナイザリング２４は、スリーブ２０が前記シフト操作装置により軸心Ｃ方向の外周歯４６側に移動させられることによって、そのスリーブ２０と共に軸心Ｃ方向に移動させられるキー２２により軸心Ｃ方向のギヤピース２６側へ押圧されるようになっている。そして、シンクロナイザリング２４のテーパ状内周面５４は、上記押圧によってギヤピース２６のテーパ状外周面４８にテーパ嵌合されるようになっている。このとき、シンクロナイザリング２４とギヤピース２６とが非同期状態である場合には、テーパ状内周面５４とテーパ状外周面４８とが摩擦係合することでスリーブ２０とギヤピース２６の相互の回転速度差が減少させられるようになっている。
【００２５】
このように構成された同期噛合クラッチ１２において、スリーブ２０に軸心Ｃ方向の操作力が加えられたときには、そのスリーブ２０の回転とギヤピース２６の回転とが同期したときにシンクロナイザリング２４によりそのスリーブ２０の軸心Ｃ方向の移動が許容され、スリーブ２０の内周歯３２とギヤピース２６の外周歯４６との噛み合いが行われるようになっている。これにより、出力軸１４の回転がハブ１８、スリーブ２０、ギヤピース２６、およびギヤ対１６を介して前記入力軸に伝達されるようになっている。
【００２６】
具体的には、シフト操作にしたがってスリーブ２０が軸心Ｃ方向の外周歯４６側に移動させられると、先ず、キー２２がシンクロナイザリング２４に当接させられてそのシンクロナイザリング２４がギヤピース２６側へ押圧されることによって、シンクロナイザリング２４とギヤピース２６とがテーパ嵌合させられる。このとき、スリーブ２０とギヤピース２６との相対回転速度差がある場合には、シンクロナイザリング２４のテーパ状内周面５４とギヤピース２６のテーパ状外周面４８との間に発生する摩擦力によってシンクロナイザリング２４とギヤピース２６との回転が次第に同期させられる。この同期までの期間は、シンクロナイザリング２４の外周歯５２がスリーブ２０の内周歯３２に当接することによって、スリーブ２０の更なる軸心Ｃ方向の移動が阻止される。
【００２７】
そして、上記スリーブ２０とギヤピース２６との相対回転速度差がなくなると、前記摩擦力が減少して内周歯３２に対する外周歯５２の阻止力が弱くなり、スリーブ２０のギヤピース２６側への更なる軸心Ｃ方向への移動が許容される。そして、スリーブ２０に加えられる外周歯４６側への操作力に従って、スプリング３８の付勢力に抗してキー２２の凸部３４が凹部４０から抜け出すと、スリーブ２０が外周歯４６に向けて移動させられてスリーブ２０の内周歯３２とギヤピース２６の外周歯４６とが互いに噛み合わされて同期噛合クラッチ１２が係合状態（動力伝達状態）とされる。
【００２８】
図２は、シンクロナイザリング２４およびギヤピース２６を含む同期噛合クラッチ１２の下方部位の断面を示す概念図である。図１および図２において、シンクロナイザリング２４は、テーパ状内周面５４に油を保持するために軸心Ｃ方向に複数本形成された油保持溝５８を備えている。本実施例の油保持溝５８は、例えば、螺旋状に形成された溝の一部から成るものである。ギヤピース２６は、円筒状凸部５０の内周面に軸心Ｃ方向に複数本（本実施例では２本）形成された環状溝６０と、それら環状溝６０のうち円筒状凸部５０の先端側の環状溝６０（図２の右側）の底面からテーパ状外周面４８の小径側に向けて貫通して設けられた貫通孔６２とを備えている。具体的には、本実施例の環状溝６０は、円筒状凸部５０の内周面に形成された二周以上の螺旋状溝の一部から成るものである。すなわち、図２の右側の環状溝６０は円筒状凸部５０の先端側から一周目の螺旋状溝から成り、また、図２の左側の環状溝６０は円筒状凸部５０の先端側から二周目の螺旋状溝から成るものである。そして、上記貫通孔６２は、円筒状凸部５０の先端側から一周目の螺旋状溝に形成されている。
【００２９】
上記のように構成された同期噛合クラッチ１２では、貫通孔６２の周方向の停止位置に拘わらず、ギヤピース２６の回転時には複数本の環状溝６０内のいずれか内に貯溜された潤滑油が貫通孔６２を通じてテーパ状外周面４８の小径側へ供給されるようになっている。以下、具体的に説明する。
【００３０】
図３は、図２のIII-III矢視部を含むギヤピース２６の円筒状凸部５０の断面を示す図である。図２および図３において、ニードルベアリング４２は、出力軸１４内に形成された油路６４から図２中の矢印Ａのように潤滑油供給孔６６を通じて潤滑油が供給され、また、ギヤピース２６の円筒状凸部５０とハブ１８のボス部６８との間に形成された環状の空間７０には、ニードルベアリング４２に供給された潤滑油が図２中の矢印Ｂのように相対回転ギヤ４４の内周部のハブ側の一端部に形成された油溝７２を通じて供給されるようになっている。上記空間７０に供給された潤滑油は、環状溝６０に溜められるか、円筒状凸部５０の先端面とハブ１８との間を通じて同期噛合クラッチ１２の外方へ流出されるようになっている。なお、上記環状溝６０に溜められた潤滑油は、貫通孔６２を通じて円筒状凸部５０のテーパ状外周面４８とシンクロナイザリング２４のテーパ状内周面５４との間に供給されるようになっている。
【００３１】
ここで、図２および図３は、貫通孔６２が下方に位置する状態でギヤピース２６の回転が停止している状態を示すものである。本実施例の同期噛合クラッチ１２では、図２および図３に示すように、ギヤピース２６の回転が停止して油路６４からの潤滑油の供給が無くなり且つ２つの環状溝６０のうち貫通孔６２が形成された一方の環状溝６０から潤滑油が流出したとしても、他方の環状溝６０に潤滑油が貯溜された状態が維持される。そして、ギヤピース２６の回転開始時には、そのギヤピース２６が半回転することによって上記他方の環状溝６０内に貯溜された潤滑油が一方の環状溝６０内に供給され、その一方の環状溝６０内に供給された潤滑油が貫通孔６２を通じてテーパ状外周面４８の小径側へ供給されるようになっている。すなわち、前述のように、貫通孔６２の周方向の停止位置に拘わらず、ギヤピース２６の回転時には２つの環状溝６０内のいずれか内に貯溜された潤滑油が貫通孔６２を通じてテーパ状外周面４８の小径側へ供給されるようになっている。
【００３２】
因みに、図４は、ギヤピース２６が停止状態から回転させられたときのテーパ状外周面４８とテーパ状内周面５４との間の潤滑油量Ｖの増減を時系列的に示す図であって、本実施例の同期噛合クラッチ１２の場合（実線）と、従来例として環状溝６０および貫通孔６２を備えていない方式の同期噛合クラッチの場合（点線）とで比較したものである。図４に示すように、従来の同期噛合クラッチの回転停止時の潤滑油量Ｖは、油保持溝５８に保持された潤滑油の量に相当する所定値Ｖ１であるのに対して、本実施例の同期噛合クラッチ１２の回転停止時の潤滑油量Ｖは、油保持溝５８に保持された潤滑油に加えて環状溝６０に貯溜された潤滑油の量に相当する所定値Ｖ１より多い所定値Ｖ２である。したがって、従来の同期噛合クラッチでは、図４中の時間ｔ１箇所付近で潤滑油量Ｖが０(零)になって潤滑不足が発生し、異音が発生する。そして、この潤滑不足は、油路６４を通じて新たに潤滑油が供給され始める時間ｔ２以降でないと解消しない。しかし、本実施例の同期噛合クラッチ１２では、常に潤滑油量Ｖが０(零)以上を維持している。
【００３３】
上述のように、本実施例の車両用変速機１０の同期噛合クラッチ１２によれば、ギヤピース２６は、そのギヤピース２６の円筒状凸部５０の内周面に軸心Ｃ方向に複数本形成された環状溝６０と、円筒状凸部５０の先端側の環状溝６０の底面から円筒状凸部５０のテーパ状外周面４８の小径側に向けて貫通して設けられた貫通孔６２とを備えて構成されており、その貫通孔６２の停止位置に拘わらず、ギヤピース２６の回転時には複数本の環状溝６０内のいずれか内に貯溜された潤滑油が貫通孔６０を通じてテーパ状外周面４８の小径側へ供給されるようになっていることから、貫通孔６２が下方に位置する状態でギヤピース２６の回転が停止することによってその貫通孔６２が設けられた環状溝６０から潤滑油が貫通孔６２を通じて流出しても、ギヤピース２６の回転時には複数本の環状溝６０のうち貫通孔６２が設けられた環状溝６０以外の環状溝６０内に貯溜された潤滑油が、遠心力により上記貫通孔６２が設けられた環状溝６０および貫通孔６２を通じてテーパ状外周面４８の小径側へ供給されるので、潤滑不足による異音の発生が抑制される。
【００３４】
また、本実施例の車両用変速機１０の同期噛合クラッチ１２によれば、環状溝６０は、ギヤピース２６の円筒状凸部５０の内周面に形成された二周以上の螺旋状溝の一部により構成されていることから、貫通孔６２が例えば上記螺旋状溝のうち円筒状凸部５０の先端側から一周目に設けられ、その貫通孔６２が下方に位置する状態でギヤピース２６の回転が停止することによって上記一周目の螺旋状溝から潤滑油が貫通孔６２を通じて流出しても、ギヤピース２６の回転時には二周目以降の螺旋状溝内に貯溜された潤滑油が遠心力により上記一周目の螺旋状溝および貫通孔６２を通じてテーパ状外周面４８の小径側へ供給されるので、潤滑不足による異音の発生が抑制される。
【００３５】
また、本実施例の車両用変速機１０の同期噛合クラッチ１２によれば、シンクロナイザリング２４は、テーパ状内周面５４に油を保持するための油保持溝５８を備えている。このようにすれば、その油保持溝５８内に保持された潤滑油が、遠心力によりテーパ状内周面５４とギヤピース２６のテーパ状外周面４８との間に供給されるので、それらテーパ状内周面５４とテーパ状外周面４８とがテーパ嵌合されて摺接することによる異音の発生が抑制される。
【００３６】
また、本実施例の車両用変速機１０の同期噛合クラッチ１２によれば、出力軸１４は、車両用手動変速機１０の入力軸とは別に設けられる動力伝達軸であり、ギヤピース２６は、上記入力軸に相対回転不能に固定される固定ギヤに噛み合わされると共に出力軸１４に相対回転可能に設けられる相対回転ギヤ４４に固設されるものであって、車両用手動変速機１０が動力伝達を遮断するニュートラル状態とされた場合において、上記入力軸が回転するに従って出力軸１４まわりに回転（遊転）するものであることから、エンジンの始動による車両用手動変速機１０の入力軸の回転開始直後におけるその車両用手動変速機１０のニュートラル状態において、ギヤピース２６の円筒状凸部５０の内周面に軸心Ｃ方向に複数本形成された環状溝６０内のいずれか内に貯溜された潤滑油が、遠心力によりその環状溝６０の底面から円筒状凸部５０のテーパ状外周面４８に向けて貫設された貫通孔６２を通じて上記テーパ状外周面４８の小径側へ供給されるので、上記ギヤピース２６の円筒状凸部５０のテーパ状外周面４８とシンクロナイザリング２４のテーパ状内周面５４との間の潤滑不足による異音の発生が抑制される。
【実施例２】
【００３７】
次に、本発明の他の実施例について説明する。なお、以下の実施例の説明において、前述の実施例と重複する部分については、同一の符号を付してその説明を省略する。
【００３８】
図５は、本発明の他の実施例の同期噛合クラッチ１２の断面を示す概念図である。また、図６は、図５のVI-VI矢視部を示す断面図である。図５および図６において、本実施例の環状溝６０は、軸心Ｃ方向において所定の間隔を隔てた状態で平行に複数本（本実施例では２本）形成された平行溝から成るものである。各環状溝６０は、貫通孔６２とは異なる周方向位置に形成された軸心Ｃに平行な連結溝７４により互いに連結されており、各環状溝６０に貯溜された潤滑油は、連結溝７４を介して各環状溝６０間を移動可能となっている。本実施例の連結溝７４は、貫通孔６２とは異なる周方向位置として、例えば軸心Ｃの連結溝７４とは反対側に形成されている。
【００３９】
ここで、図５および図６は、貫通孔６２が下方に位置する状態でギヤピース２６の回転が停止している状態を示すものである。本実施例の同期噛合クラッチ１２では、図５および図６に示すように、ギヤピース２６の回転が停止して油路６４からの潤滑油の供給が無くなり且つ２つの環状溝６０のうち貫通孔６２が形成された一方の環状溝６０から潤滑油が流出したとしても、他方の環状溝６０に潤滑油が貯溜された状態が維持される。そして、ギヤピース２６の回転開始時には、そのギヤピース２６が半回転することによって上記他方の環状溝６０内に貯溜された潤滑油が連結溝７４を通じて一方の環状溝６０内に供給され、その一方の環状溝６０内に供給された潤滑油が貫通孔６２を通じてテーパ状外周面４８の小径側へ供給されるようになっている。すなわち、貫通孔６２の周方向の停止位置に拘わらず、ギヤピース２６の回転時には２つの環状溝６０内のいずれか内に貯溜された潤滑油が貫通孔６２を通じてテーパ状外周面４８の小径側へ供給されるようになっている。
【００４０】
本実施例の車両用変速機１０の同期噛合クラッチ１２によれば、上記以外の構成は実施例１と同じであり、また、前述の実施例１と同様に、貫通孔６２の周方向の停止位置に拘わらず、ギヤピース２６の回転時には２つの環状溝６０内のいずれか内に貯溜された潤滑油が貫通孔６２を通じてテーパ状外周面４８の小径側へ供給されるようになっていることから、実施例１と同様の効果が得られる。
【実施例３】
【００４１】
図７は、本発明の他の実施例の同期噛合クラッチ１２の断面を示す概念図である。また、図８は、図５のVIII-VIII矢視部を示す断面図である。図７および図８において、本実施例の環状溝６０は、軸心Ｃ方向において所定の間隔を隔てた状態で平行に複数本（本実施例では２本）形成された平行溝から成るものである。各環状溝６０には、それらの底面からテーパ状外周面４８の小径側に向けて貫通する貫通孔６２が１つずつ設けられている。各貫通孔６２は、互いに異なる周方向位置例えば軸心Ｃを挟んで対向する位置に設けられている。
【００４２】
ここで、図７および図８は、円筒状凸部５０の先端側の環状溝６０に形成された貫通孔６２が下方に位置する状態でギヤピース２６の回転が停止している状態を示すものである。本実施例の同期噛合クラッチ１２では、図７および図８に示すように、ギヤピース２６の回転が停止して油路６４からの潤滑油の供給が無くなり且つ２つの環状溝６０のうちの一方の環状溝６０から潤滑油が流出したとしても、他方の環状溝６０に潤滑油が貯溜された状態が維持される。そして、ギヤピース２６の回転開始時には、そのギヤピース２６が半回転することによって上記他方の環状溝６０内に貯溜された潤滑油が貫通孔６２を通じてテーパ状外周面４８の小径側へ供給されるようになっている。すなわち、貫通孔６２の周方向の停止位置に拘わらず、ギヤピース２６の回転時には２つの環状溝６０内のいずれか内に貯溜された潤滑油が貫通孔６２を通じてテーパ状外周面４８の小径側へ供給されるようになっている。
【００４３】
本実施例の車両用変速機１０の同期噛合クラッチ１２によれば、上記以外の構成は実施例１と同じであり、また、前述の実施例１と同様に、貫通孔６２の周方向の停止位置に拘わらず、ギヤピース２６の回転時には２つの環状溝６０内のいずれか内に貯溜された潤滑油が貫通孔６２を通じてテーパ状外周面４８の小径側へ供給されるようになっていることから、実施例１と同様の効果が得られる。
【００４４】
以上、本発明の一実施例を図面を参照して詳細に説明したが、本発明はこの実施例に限定されるものではなく、別の態様でも実施され得る。
【００４５】
たとえば、前述の実施例において、同期噛合クラッチ１２は、シンクロナイザリング２４にキー溝５６が形成され、そのキー溝５６にキー２２が係合させられる所謂キーインデックスタイプの同期装置であったが、例えば所謂ハブインデックスタイプの同期装置であってもよい。また、同期のための摩擦力がテーパ状外周面４８とテーパ状内周面５４との間の摩擦により得られるシングルコーンタイプのシンクロ機構を備えた同期装置であったが、例えばダブルコーンタイプやトリプルコーンタイプなどシンクロナイザリングが重ねられた所謂マルチコーンタイプのシンクロ機構を備えたものであっても、本発明は適用可能である。
【００４６】
また、前述の実施例において、環状溝６０は、円筒状凸部５０の内周面に軸心Ｃ方向に２本設けられていたが、これに限らず、３本以上設けられてもよい。
【００４７】
また、前述の実施例において、車両用手動変速機１０は、平行な２軸の動力伝達軸（入力軸および出力軸１４）を備えて構成される常時噛合型平行軸式変速機であったが、３軸以上の動力伝達軸を備えて構成される常時噛合型平行軸式変速機であってもよい。
【００４８】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００４９】
１０：車両用手動変速機
１２：同期噛合クラッチ（同期噛合装置）
１４：出力軸（回転軸）
１８：ハブ
２０：スリーブ
２４：シンクロナイザリング
２６：ギヤピース
３２：内周歯
４６：外周歯（第１外周歯）
４８：テーパ状外周面
５０：円筒状凸部
５２：外周歯（第２外周歯）
５４：テーパ状内周面
６０：環状溝
６２：貫通孔
【図１】
2010249167.tif 000003
【図２】
2010249167.tif 000004
【図３】
2010249167.tif 000005
【図４】
2010249167.tif 000006
【図５】
2010249167.tif 000007
【図６】
2010249167.tif 000008
【図７】
2010249167.tif 000009
【図８】
2010249167.tif 000010